(57)【要約】【課題】  根太上に下地材および床暖房パネルを順次積層した床暖房設置構造において、下地材の側端縁間の隙間が大きくならず、下地材上に施工された床暖房パネル間の隙間の拡大防止にも寄与し得る床暖房設置構造を提供する。【解決手段】  根太１上に下地材２および床暖房パネル３を順次積層した床暖房設置構造において、下地材２の側端縁４が、根太１上で相互に嵌合可能なあいじゃくり実構造５を有するので、下地材２の側端縁４の間の隙間７ａが大きくならず、結果として、下地材２の上に施工された床暖房パネル３の間の隙間８の拡大防止にも寄与し得ることとなる。また、あいじゃくり実構造５の切り欠き部１０の水平方向の長さを根太１の上面１１の幅と略同一とすることにより、直接下地材２同士を強固に接着出来るため、より十分な隙間７ａ及び隙間８の拡大防止効果が認められる。【選択図】図１
2006118140.tif 000002
【特許請求の範囲】
【請求項１】
根太上に下地材および床暖房パネルを順次積層した床暖房設置構造において、前記下地材の側端縁が、前記根太上で相互に嵌合可能なあいじゃくり実構造を有することを特徴とする床暖房設置構造。
【請求項２】
前記あいじゃくり実構造の切り欠き部の水平方向の長さが、前記根太上面の幅と略同一であることを特徴とする請求項１記載の床暖房設置構造。
【発明の詳細な説明】
【技術分野】
【０００１】
本発明は、根太上に下地材および床暖房パネルを順次積層した床暖房設置構造に関するものである。
【背景技術】
【０００２】
従来より、図３に示す如く、根太１の上に下地材２および床暖房パネル３を順次積層した床暖房設置構造において、床暖房パネル３を設置するための下地材２として、多くの場合、合板や木質ボードが用いられる。かかる合板や木質ボードは、通常、根太１に接着剤と釘（または木ビス）６、もしくは釘（または木ビス）６のみで固定されるが、合板や木質ボードよりなる下地材２相互間は図３に示すように根太１に半分しか掛からない状態で固定される。さらに、この場合、左右の下地材２を固定するため、根太１において、二本の釘（または木ビス）６が必要となる。
【０００３】
このような根太上に下地材を釘着固定してなる床構造は、床暖房設置構造のみに限らず、例えば、実開平７−２６４７３号公報に例示するように、木造家屋の床構造として一般に広く採用されるものである。
【０００４】
その一方で、かかる床構造を床暖房設置構造とし、下地材２として、合板や木質ボードを用いる場合、床暖房の熱により合板や木質ボードの含水率が低下して寸法収縮を起こし易い点が問題となる。すなわち、上記したように、かかる合板や木質ボードよりなる下地材２相互間は、根太１に半分しか掛からない状態で固定されるため、下地材２の側端縁４間の隙間７が大きくなりやすく、それが、下地材上に施工された床暖房パネル３の間の隙間８を大きくする要因の一つにもなっている。
【特許文献１】実開平７−２６４７３号公報
【発明の開示】
【発明が解決しようとする課題】
【０００５】
本発明は、上記背景技術に鑑みて発明されたものであり、その課題は、根太上に下地材および床暖房パネルを順次積層した床暖房設置構造において、下地材の側端縁間の隙間が大きくならず、下地材上に施工された床暖房パネル間の隙間の拡大防止にも寄与し得る床暖房設置構造を提供することにある。
【課題を解決するための手段】
【０００６】
上記課題を解決するために、請求項１に係る発明の床暖房設置構造にあっては、根太上に下地材および床暖房パネルを順次積層した床暖房設置構造において、前記下地材の側端縁が、前記根太上で相互に嵌合可能なあいじゃくり実構造を有することを特徴とするものである。
【０００７】
請求項２に係る発明の床暖房設置構造にあっては、請求項１記載の床暖房設置構造において、前記あいじゃくり実構造の切り欠き部の水平方向の長さが、前記根太上面の幅と略同一であることを特徴とするものである。
【発明の効果】
【０００８】
本発明の床暖房設置構造では、根太上に下地材および床暖房パネルを順次積層した床暖房設置構造において、前記下地材の側端縁が、前記根太上で相互に嵌合可能なあいじゃくり実構造を有するので、下地材の側端縁間の隙間が大きくならず、結果として、下地材上に施工された床暖房パネル間の隙間の拡大防止にも寄与し得ることとなる。
【発明を実施するための最良の形態】
【０００９】
以下、本発明の実施形態を図面に基づき説明する。なお、本発明の床暖房設置構造は、下記の実施形態にのみ限定されるものではなく、本発明の要旨を逸脱しない範囲内において種々変更を加え得ることは勿論である。ここで、図１は、本発明の実施形態である床暖房設置構造Ａの構成の要部を模式的に示す断面図である。一方、図２は、本発明の実施形態である床暖房設置構造Ａにおける下地材の構成を模式的に示すもので、（ａ）は、上面図、（ｂ）は、（ａ）のＳの部分を拡大した断面図である。
【００１０】
すなわち、本実施形態の床暖房設置構造Ａは、図１に示すように、根太１上に下地材２および床暖房パネル３を順次積層した床暖房設置構造であるが、下地材２の側端縁４が、根太１上で相互に嵌合可能なあいじゃくり実構造５を有するものである。
【００１１】
この結果、根太１上の下地材２におけるあいじゃくり実構造５の側端縁凸部１３と相互に嵌合した、隣接する下地材２の側端縁凹部１２との間の隙間７ａが大きくならず、結果として、下地材２の上に施工された床暖房パネル３相互間の隙間８の拡大防止にも寄与し得ることとなる。
【００１２】
すなわち、この場合、釘（または木ビス）６が根太１上で相互に嵌合した二枚の下地材２のあいじゃくり実構造５を上下に貫通して串刺しにするため、下地材２の収縮する力Ｆ（矢印方向：左方向の収縮力Ｆａ、及び右方向の収縮力Ｆｂ〔図１〕）が釘（または木ビス）６近傍において、相互に嵌合した下地材２のあいじゃくり実構造５の上下で、左右方向で相互に打ち消す方向に働き、接着剤を使用せず、釘（または木ビス）６のみで固定する場合でも十分な隙間７ａ及び隙間８の拡大防止効果が認められる結果となる。
【００１３】
一方、根太１上の下地材２を根太１に固定する際に、相互に嵌合した下地材２のあいじゃくり実構造５の上下で接着剤を併用して固定する場合には、図１に示すように、あいじゃくり実構造５の切り欠き部１０の水平面９に接着剤を塗布することにより、水平面９は、従来の接合構造（図３参照）にはない新たな接着接合面となる。この結果、さらに強固な接合が実現でき、さらなる隙間７ａ及び隙間８の拡大防止効果が認められる結果となる。
【００１４】
これに加えて、本実施形態の床暖房設置構造Ａでは、あいじゃくり実構造５の切り欠き部１０の水平方向の長さ（すなわち、水平面９の幅［Ｗ２］）が、根太１の上面１１の幅［Ｗ１］と略同一であるため、接着剤の塗布面積が、上記従来例（図３参照）の場合の二倍になり、また直接下地材２同士を接着出来るため、より十分な隙間７ａ及び隙間８の拡大防止効果が認められる結果となる。
【００１５】
その一方で、図１に示すように、あいじゃくり実構造５を採用する本実施形態の床暖房設置構造Ａでは、接合に使用するために最低限必要な釘（または木ビス）６の本数が上記従来例（図３参照）の場合の半分で足りることとなり、作業の一層の効率化、省施工化にも寄与し得ることとなる。
【００１６】
以上のように、本発明の床暖房設置構造では、根太上に下地材および床暖房パネルを順次積層した床暖房設置構造において、前記下地材の側端縁が、前記根太上で相互に嵌合可能なあいじゃくり実構造を有するので、下地材の側端縁間の隙間が大きくならず、結果として、下地材上に施工された床暖房パネル間の隙間の拡大防止にも寄与し得ることとなる。
【図面の簡単な説明】
【００１７】
【図１】本発明の実施形態である床暖房設置構造Ａの構成の要部を模式的に示す断面図である。
【図２】本発明の実施形態である床暖房設置構造Ａにおける下地材の構成を模式的に示すもので、（ａ）は、上面図、（ｂ）は、（ａ）のＳの部分を拡大した断面図である。
【図３】従来例に係る床暖房設置構造の構成の要部を模式的に示す断面図である。
【符号の説明】
【００１８】
１      根太
２      下地材
３      床暖房パネル
４      側端縁（下地材２）
５      あいじゃくり実構造
６      釘（または木ビス）
７      隙間（下地材２）
７ａ    隙間（下地材２）
８      隙間（床暖房パネル３）
９      水平面（切り欠き部１０）
１０      切り欠き部（あいじゃくり実構造５）
１１      上面（根太１）
１２      側端縁凹部（あいじゃくり実構造５）
１３      側端縁凸部（あいじゃくり実構造５）
１４      断熱材
Ａ        床暖房設置構造
【図１】
2006118140.tif 000003
【図２】
2006118140.tif 000004
【図３】
2006118140.tif 000005